(57)【要約】【課題】負イオンを安定して発生させることができ、風等に頼ることなくトイレ室内に負イオンを拡散させることができる負イオン発生器付き温水洗浄便座を実現する。【解決手段】洗浄水を噴射するノズルと、該洗浄水が貯留されるタンクと、該タンク内に前記洗浄水を導く給水口と、前記洗浄水を加熱する加熱手段とを備え、待機時に該加熱手段で前記洗浄水を加熱し、洗浄時に前記給水口から洗浄水を流入させて前記加熱された洗浄水を前記ノズルに押し導いて噴射させる温水洗浄便座に、負イオン発生器を備えたものにおいて、前記負イオン発生器の負イオン発生電極は、負イオン吹出口を有する樹脂製ケースに収められ、前記ケースの負イオン吹出口付近に金属板を接触させて保持した。【選択図】  図２
2004256988.tif 000002
【特許請求の範囲】
【請求項１】
洗浄水を噴射するノズルと、該洗浄水が貯留されるタンクと、該タンク内に前記洗浄水を導く給水口と、前記洗浄水を加熱する加熱手段とを備え、待機時に該加熱手段で前記洗浄水を加熱し、洗浄時に前記給水口から洗浄水を流入させて前記加熱された洗浄水を前記ノズルに押し導いて噴射させる温水洗浄便座に、負イオン発生器を備えたものにおいて、
前記負イオン発生器の負イオン発生電極は、負イオン吹出口を有する樹脂製ケースに収められ、前記ケースの負イオン吹出口付近に金属板を接触させて保持したことを特徴とする負イオン発生器付き温水洗浄便座。
【請求項２】
請求項１において、前記金属板は接地されていることを特徴とする負イオン発生器付き温水洗浄便座。
【請求項３】
請求項２において、前記金属板は前記ケースのイオン吹出口の全周、もしくは吹出口内にあって吹出口よりもせまい範囲を囲う枠形状であることを特徴とする負イオン発生器付き温水洗浄便座。
【発明の詳細な説明】
【０００１】
【発明の属する技術分野】
本発明は、負イオン発生器付き温水洗浄便座に関する。
【０００２】
【従来の技術】
負イオンを安定して発生させ、さらに広範囲に拡散させるためには、例えば扇風機や空気清浄器のように、何らかの手段を用いて負イオンを風に乗せて拡散させる方法が効果的である。しかしながら、何らかの理由で風または負イオンを運ぶことのできる媒体、力等を効果的に利用できない場合があり、この場合安定した負イオンの発生、及び拡散は望めない。
【０００３】
幸い温水洗浄便座の場合、囲まれた狭いトイレ室内にて使用され、さらには人体に接して使用されることから、負イオンの広範囲への拡散は不要である。
【０００４】
【発明が解決しようとする課題】
負イオンの拡散がなされない場合、負イオン発生器の発生電極付近には発生した負イオンが停滞する。これらは、互いに反発し合い拡散するが、発生電極を固定または保護するケース等の物体に付着して、物体が負に帯電すると、負イオンの拡散は妨げられ、さらには負イオンが発生しなくなることがあった。
【０００５】
本発明は、負イオン発生器で発生した負イオンを、風やその他負イオンを運ぶことのできる媒体、力等を利用せず、負イオンを安定して発生させ、負イオンをある程度の範囲に拡散させることを目的とする。
【０００６】
【課題を解決するための手段】
負イオン発生電極を収め、イオン吹出口を有する樹脂製ケースに、接地された金属板を設けることで、負イオン発生電極から発生した負イオンがケースに付着し帯電してしまうことを防止し、負イオンを安定して発生させ、負イオンをある程度の範囲に拡散させることができる。
【０００７】
【発明の実施の形態】
以下、本発明の実施例を図により説明する。
【０００８】
図１は、この実施の形態における負イオン発生器付き温水洗浄便座の左側面図である。図２は、負イオン発生器の断面図である。図３は、負イオン発生器のケースの上面図である。図４は、負イオン発生器のケースふたに電極、中立電位電線、金属板を取り付けた状態を示す下面図である。図５は、負イオン発生器のケースふたに電極、中立電位電線、金属板を取り付けた状態を示す斜視図である。図６は、金属板の斜視図である。図７は、負イオン発生器の斜視図である。
【０００９】
本発明の負イオン発生器付き温水洗浄便座は、温水器１の部分と、暖房便座２の部分の大きく２つの部分で構成される。
【００１０】
温水器１は、水道配管にホースを介して接続され、水路の開閉を行う弁を備えた給水部と、給水部から供給された水を貯留し、センサで制御された加熱装置で適度な水温（約３３〜４０℃）に保温するタンク部と、タンク部に貯留された温水を、洗浄水として噴射するノズル部とが、樹脂製ケースに収められて構成されている。
【００１１】
暖房便座２は、センサで制御された加熱装置で樹脂製便座を適温（約３３〜４０℃）に保温する構成になっている。
【００１２】
温水器１の樹脂製ケース下部には、負イオン発生器３を取り付ける。負イオン発生器３は、上側開放の樹脂製ケース４に負イオン発生電極５と、金属板６とを設置し、ケースふた７で閉じられた構成になっている。
【００１３】
高電圧発生ユニット８は、負イオン発生器３をできるだけコンパクトに構成するために、温水器１の内部に配置したが、負イオン発生器３内に設置することも可能である。
【００１４】
負イオン発生器３の樹脂製ケース４には、負イオン吹き出し口として横格子状の吹出口９があり、この吹出口９を縦に３分割して格子を補強する補強リブ１０が２本形成されている。また、ケース４底面にはケースふた７を受け止める受けリブ１１を設けている。
【００１５】
ケースふた７は、下面に電線の前後方向と左右方向を位置決めするガイドリブ１２と、金属板６を挟み込むスリット１３を形成してある。
【００１６】
高電圧発生ユニット８からは電線を介して負イオン発生電極５と、電位が０であり温水器１を介して接地される中立電位電線１４が引き出されており、負イオン発生電極５はケースふた７のガイドリブ１２により位置決めされ、中立電位電線１４は金属板６の一端にネジ止めされる。
【００１７】
金属板６は、一端にネジ止めできるネジ穴１５を有し、他端は枠形状になっておりある角度で折り曲げてある。
【００１８】
ケースふた７のガイドリブ１２により前後、左右方向を位置決めされた負イオン発生電極５は、ケース４底面の受けリブ１１とガイドリブ１２とが突き当たることで、上下方向が決められ固定される。ここで負イオン発生電極５は、ケース４の負イオン吹出口９の補強リブ１０間に位置する。金属板６は中ほどをケースふた７のスリット１３に挟み込んで挟持し、枠形状の縦２面をケースの吹出口９補強リブ１０に接触させて設置する。このとき、金属板６がケース４の補強リブ１０から離れないように、金属板６の枠の底辺角をケース４の補強リブ１０の根元にある押さえリブ１６に差し込むようにして設置する。金属板６のネジ穴１５には中立電位電線１４がネジ止めされ、中立電位電線１４はケースふた７のガイドリブ１２に沿って配線される。
【００１９】
上述のように組み立てられた負イオン発生器３は、ケース４に形成されたネジボス１７を温水洗浄便座の温水器１の下ケースに空けたネジ穴に合わせてネジ止めすることで一体化する。
【００２０】
温水洗浄便座の温水器１の下ケースの底面外側に、ケースふた７の形状を形成すれば、ケースふた７は不要であり、構成部品を減らすことも可能である。
【００２１】
負イオン発生器３から発生した負イオンは、互いに反発し合いながらケース４の吹出口９からケース４の外へ押し出されて拡散するが、まもなくして発生した負イオンがケース４に付着しケース４が負に帯電すると、発生した負イオンとケース４とが反発し、ケース４の外への拡散が妨げられ、ついには負イオン発生電極５の周囲が負イオン発生電極５と同電位になり、電位差によって発生していた負イオンが発生しなくなってしまう。
【００２２】
しかしケース４の吹出口９には、補強リブ１０を介して接地された金属板６が接触して設置されているため、帯電して電位の高くなったケース４は接地していて電位が０である金属板６へ負イオンを放出し、その結果ケース４は除電され帯電することはなく、負イオンは安定して発生し、ケース４の外へ拡散することができる。
【００２３】
ここで、負イオン発生電極５はケース４の吹出口９の補強リブ１０の間に位置しているため、発生した負イオンは補強リブ１０間の部分に向かって押し出され、この部分で最も付着、帯電が進むのだが、金属板６は最も付着、帯電が進む部分を囲む形状であり、効果的に除電できるのである。
【００２４】
【発明の効果】
本発明によれば、負イオン発生器のケースに接地された金属板を接触して設置したことにより、負イオンを安定して発生させることができ、風等に頼ることなくトイレ室内に負イオンを拡散させることができる。
【図面の簡単な説明】
【図１】この実施の形態における負イオン発生器付き温水洗浄便座の左側面図である。
【図２】負イオン発生器の断面図である。
【図３】負イオン発生器のケースの上面図である。
【図４】負イオン発生器のケースふたに電極、中立電位電線、金属板を取り付けた状態を示す下面図である。
【図５】負イオン発生器のケースふたに電極、中立電位電線、金属板を取り付けた状態を示す斜視図である。
【図６】金属板の斜視図である。
【図７】負イオン発生器の斜視図である。
【符号の説明】
３…負イオン発生器、４…ケース、５…電極、６…金属板、７…ケースふた、９…吹出口、１０…補強リブ、１４…中立電位電線。
【図１】
2004256988.tif 000003
【図２】
2004256988.tif 000004
【図３】
2004256988.tif 000005
【図４】
2004256988.tif 000006
【図５】
2004256988.tif 000007
【図６】
2004256988.tif 000008
【図７】
2004256988.tif 000009